(57)【要約】【課題】商品の購入やサービスの提供に伴って行われる金銭の授受についての情報を所望の情報処理装置に簡易的に入力する。【解決手段】非接触状態にて情報の書き込み及び読み出しが可能に構成され、印字された情報を含む所定の情報が書き込まれる複数のＩＣチップ１２−１〜１２−ｎを、レシート１０が単片形状に断裁された場合に該単片形状に断裁されたレシートに少なくとも１つ含まれるような間隔に配置し、消費者が商品を購入したりサービスの提供を受けた場合、商品の購入やサービスの提供に伴って行われた金銭の授受についての情報を印字するとともに、商品の購入やサービスの提供に伴って行われた金銭の授受についての情報をＩＣチップ１２−１〜１２−ｎに書き込み、このＩＣチップが含まれるようにレシート１０を断裁して供給する。【選択図】図１
2008027468.tif 000002
【特許請求の範囲】
【請求項１】
連続紙状に構成され、商品の購入やサービスの提供に伴って行われた金銭の授受についての情報が印字された後に単片形状に断裁されて供給されるレシートにおいて、
非接触状態にて情報の書き込み及び読み出しが可能に構成され、前記印字された情報を含む所定の情報が書き込まれる複数のＩＣチップが、当該レシートが単片形状に断裁された場合に該単片形状に断裁されたレシートに少なくとも１つ含まれるような間隔に配置されていることを特徴とするレシート。
【請求項２】
請求項１に記載のレシートにおいて、
前記複数のＩＣチップのうち少なくとも１つには、前記連続紙状におけるレシートの残り量を示す情報が書き込まれていることを特徴とするレシート。
【発明の詳細な説明】
【技術分野】
【０００１】
本発明は、商品の購入やサービスの提供に伴って金銭の授受が行われた場合にその金銭の授受についての情報が印字された領収証等のレシートに関する。
【背景技術】
【０００２】
従来より、商品の購入やサービスの提供に伴って金銭の授受が行われた場合、その金銭の授受が行われた場所に設置されたレジスターにおいて、金銭の授受についての情報が印字された領収書等のレシートが発行され、商品を購入したり、サービスの提供を受けたりした消費者は、このレシートを受け取り、商品の購入やサービスの提供に伴う金銭の授受の内容を確認したり、その他の処理にこのレシートを利用したりしている。
【０００３】
例えば、消費者がスーパー等の店舗で商品を購入した場合、店舗に設置されたレジスターにおいて会計を行うと、購入した商品の品名や値段、さらに、購入した商品の合計金額等が記載されたレシートがレジスターにて発行され、商品を購入した消費者にこのレシートが渡される。
【０００４】
その後、店舗で商品を購入した消費者が、商品の購入についての情報を家計簿等に記録しておく場合は、店舗にて受け取ったレシートに印字された情報を家計簿に記録したり、また、近年では、商品の購入についての情報を入力するだけで、所定の計算が行われる家計簿ソフト等といったソフトウェアが普及しており、パーソナルコンピュータ等の情報処理機器に、レシートに印字された情報を入力したりしている。
【発明の開示】
【発明が解決しようとする課題】
【０００５】
しかしながら、上述したように、商品の購入やサービスの提供に伴って金銭の授受が行われた際にその金銭の授受についての情報を記録しておく場合においては、商品を購入したり、サービスの提供を受けたりした消費者が、金銭の授受についての情報が印字されたレシートを用いて、商品の購入やサービスの提供に伴って行われた金銭の授受の内容を家計簿に記録したり、パーソナルコンピュータに入力したりすることになり、そのための手間と時間がかかってしまうという問題点がある。
【０００６】
本発明は、上述したような従来の技術が有する問題点に鑑みてなされたものであって、商品の購入やサービスの提供に伴って行われる金銭の授受についての情報が印字されたレシートであって、商品の購入やサービスの提供に伴って行われる金銭の授受についての情報を所望の情報処理装置に簡易的に入力することができるレシートを提供することを目的とする。
【課題を解決するための手段】
【０００７】
上記目的を達成するために本発明は、
連続紙状に構成され、商品の購入やサービスの提供に伴って行われた金銭の授受についての情報が印字された後に単片形状に断裁されて供給されるレシートにおいて、
非接触状態にて情報の書き込み及び読み出しが可能に構成され、前記印字された情報を含む所定の情報が書き込まれる複数のＩＣチップが、当該レシートが単片形状に断裁された場合に該単片形状に断裁されたレシートに少なくとも１つ含まれるような間隔に配置されていることを特徴とする。
【０００８】
また、前記複数のＩＣチップのうち少なくとも１つには、前記連続紙状におけるレシートの残り量を示す情報が書き込まれていることを特徴とする。
【０００９】
上記のように構成された本発明においては、消費者が商品を購入したりサービスの提供を受けた場合、商品の購入やサービスの提供に伴って行われた金銭の授受についての情報が印字されるとともに、非接触状態にて情報の書き込み及び読み出しが可能に構成され、商品の購入やサービスの提供に伴って行われた金銭の授受についての情報が書き込まれたＩＣチップが搭載されたレシートが、少なくとも１つのＩＣチップが含まれるように断裁されて供給されるので、レシートを受け取った消費者は、ＩＣチップに書き込まれた情報を読み取る情報読取装置を情報処理装置に接続しておけば、ＩＣチップに書き込まれた情報を情報処理装置にて読み取らせるだけで、商品の購入やサービスの享受を情報処理装置に簡易的に入力することができる。
【００１０】
また、複数のＩＣチップのうち少なくとも１つに、連続紙状におけるレシートの残り量を示す情報を書き込んでおけば、そのレシートを発行するレジスターにおいて情報を読み取ることにより、レシートの残り量を認識することができる。
【発明の効果】
【００１１】
以上説明したように本発明においては、連続紙状に構成され、商品の購入やサービスの提供に伴って行われた金銭の授受についての情報が印字された後に単片形状に断裁されて供給されるレシートにおいて、非接触状態にて情報の書き込み及び読み出しが可能に構成され、印字された情報を含む所定の情報が書き込まれる複数のＩＣチップが、当該レシートが単片形状に断裁された場合に該単片形状に断裁されたレシートに少なくとも１つ含まれるような間隔に配置されているため、消費者が商品を購入したりサービスの提供を受けた場合、商品の購入やサービスの提供に伴って行われた金銭の授受についての情報が印字されるとともに、非接触状態にて情報の書き込み及び読み出しが可能に構成され、商品の購入やサービスの提供に伴って行われた金銭の授受についての情報が書き込まれたＩＣチップが搭載されたレシートが、少なくとも１つのＩＣチップが含まれるように断裁されて供給されることになり、レシートを受け取った消費者は、ＩＣチップに書き込まれた情報を読み取る情報読取装置を情報処理装置に接続しておけば、ＩＣチップに書き込まれた情報を情報処理装置にて読み取らせるだけで、商品の購入やサービスの享受を情報処理装置に簡易的に入力することができる。
【００１２】
また、複数のＩＣチップのうち少なくとも１つに、連続紙状におけるレシートの残り量を示す情報が書き込まれているものにおいては、そのレシートを発行するレジスターにおいて情報を読み取ることにより、レシートの残り量を認識することができる。
【発明を実施するための最良の形態】
【００１３】
以下に、本発明の実施の形態について図面を参照して説明する。
【００１４】
図１は、本発明のレシートの実施の一形態を示す図である。
【００１５】
本形態は図１に示すように、印字可能に構成された連続紙状の印字用紙１１に、非接触状態にて情報の書き込み及び読み出しが可能なＩＣチップ１２−１〜１２−ｎが所定の間隔毎に搭載されて構成されており、ロール状に巻かれた状態から引き出されるようにして利用される。
【００１６】
上記のように構成されたレシート１０においては、商品の購入やサービスの提供に伴って金銭の授受が行われた場合に、その商品の購入やサービスの提供に伴う金銭の授受についての情報が、印字用紙１１に印字されるとともにＩＣチップ１２−１〜１２−ｎに書き込まれる。
【００１７】
図２は、図１に示したレシート１０に最低限の情報が印字された状態を示す図である。
【００１８】
図２に示すように最低限の情報が印字された状態における最低印字幅１３は、ＩＣチップ１２−１〜１２−ｎの間隔よりも狭くなっている。
【００１９】
なお、統計情報を用いてレシート１０の平均長を算出し、ＩＣチップ１２−１〜１２−ｎの間隔をレシート１０の平均長よりも広くするように構成すれば、ＩＣチップ１２−１〜１２−ｎの数を削減することが可能となる。
【００２０】
以下に、上記のように構成されたレシート１０が発行される際の処理について説明する。
【００２１】
図３は、図１に示したレシート１０を発行するレジスターの一構成例を示す図である。
【００２２】
本形態におけるレジスターは図３に示すように、レシート１０の印字用紙１１に情報を印字する印字部２０と、印字用紙１１上に搭載されたＩＣチップ１２−１〜１２−ｎに情報を書き込む情報書込部３０と、レシート１０を断裁する断裁部４０と、レシート１０を搬送するための搬送手段であるローラ５０と、キーボードやバーコードリーダ等から構成され、情報を入力するための入力部６０と、情報が表示される表示部７０と、入力部６０に入力された情報に基づいて、印字部２０における印字用紙１１に対する情報の印字及び情報書込部３０におけるＩＣチップ１２−１〜１２−ｎに対する情報の書き込み、並びに、断裁部４０におけるレシート１０の断裁及びローラ５０の駆動を制御する制御部８０とから構成されている。
【００２３】
図４は、図３に示したレジスターを用いたレシート１０の発行処理を説明するためのフローチャートである。
【００２４】
商品の購入やサービスの提供に伴う金銭の授受が行われた場合に、その金銭の授受についての情報が入力部６０を介して入力されると、制御部８０における制御によりローラ５０が駆動してレシート１０が搬送され、また、印字部２０において入力部６０を介して入力された情報に基づいて所定の情報がレシート１０の印字用紙１１に印字される（ステップＳ１）。ここで、入力部６０においては、上述したようにキーボードやバーコードリーダから構成されていることが考えられるが、入力部６０がキーボードから構成されている場合は、商品やサービスを特定するための情報及びその代金が入力部６０を介して入力され、また、入力部６０がバーコードリーダから構成されている場合は、商品等に印字されたバーコード情報が入力部６０を介して読み取られる。なお、制御部８０においては、商品等に印字されたバーコード情報に対応してその商品等の品名や金額等が予め登録されているが、これは一般的なレジスターと同様の機能であるため、ここでの詳細な説明は省略する。印字部２０においては、制御部８０における制御によって、入力部６０を介して入力された商品の品名や数量、金額、あるいはサービスの種類や代金等がレシート１０の印字用紙１１に印字されることになる。さらに、制御部８０においては、入力部６０を介して入力された情報をそのまま印字部２０にてレシート１０の印字用紙１１に印字するだけではなく、入力部６０を介して入力された情報に基づいて、商品等の合計金額や消費税等を算出し、その額を印字部２０にてレシート１０の印字用紙１１に印字する。また、印字部２０においては、入力部６０を介して入力された情報以外に予め制御部８０に登録された情報がレシート１０の印字用紙１１に印字されることも考えられる。例えば、そのレジスターが設置された店舗に関する情報等が制御部８０に登録されており、その情報がレシート１０の印字用紙１１に印字されることも考えられる。また、金銭の授受が行われた日時についても、レシート１０の印字用紙１１に印字される。
【００２５】
その後、印字部２０において入力部６０を介して入力された情報に基づく印字が終了すると（ステップＳ２）、ローラ５０の駆動によってレシート１０が搬送されている状態において、レシート１０上の情報書込部３０と対向する領域にＩＣチップ１２−１〜１２−ｎが存在するかどうかが検出される（ステップＳ３）。ここで、レシート１０上に搭載されたＩＣチップ１２−１〜１２−ｎに情報を書き込む情報書込部３０においては、通信可能な範囲内にＩＣチップ１２−１〜１２−ｎが存在するかどうかを検出するために周期的に要求信号が送信されている。この要求信号がＩＣチップ１２−１〜１２−ｎにて受信されると、ＩＣチップ１２−１〜１２−ｎから要求信号に対する応答信号が送信され、この応答信号が情報書込部３０にて受信された場合、レシート１０上の情報書込部３０と対向する領域にＩＣチップ１２−１〜１２−ｎが存在することが検出される。
【００２６】
ステップＳ３にてレシート１０上の情報書込部３０と対向する領域にＩＣチップ１２−１〜１２−ｎが存在することが検出された場合は、制御部８０における制御によって、情報書込部３０において、検出されたＩＣチップに対して、レシート１０の印字用紙１１に印字された情報が書き込まれる（ステップＳ４）。なお、情報書込部３０にてＩＣチップ１２−１〜１２−ｎに書き込まれる情報としては、レシート１０の印字用紙１１に印字された情報のみではなく、例えば、商品の購入によるポイントや懸賞等に用いられる番号や店舗のホームページのＵＲＬ等が書き込まれていることも考えられる。また、ＩＣチップ１２−１〜１２−ｎの製造管理番号や、ＩＣチップ１２−１〜１２−ｎの少なくとも１つに、ロール状に巻かれた状態におけるレシート１０の残りのＩＣチップの数を書き込んでおいてもよい。
【００２７】
ステップＳ４にてＩＣチップ１２−１〜１２−ｎに所定の情報が書き込まれると、情報が書き込まれたＩＣチップ１２−１〜１２−ｎが断裁部４０を超える領域となるまでローラ５０の駆動によりレシート１０が搬送され、その後、断裁部４０によってレシート１０が単片形状に断裁される（ステップＳ５）。
【００２８】
図５は、図３に示したレジスターにて発行されるレシートの形状を説明するための図である。
【００２９】
図３に示したレジスターにおいては、印字部２０におけるレシート１０に対する印字が終了した後において、レシート１０が搬送されながら、次に情報書込部３０に対向するＩＣモジュール１２−１〜１２−ｎが検出され、検出されたＩＣモジュール１２−１〜１２−ｎに情報が書き込まれ、その後、レシート１０が断裁されるため、レシート１０上において情報の印字が終了した領域の次のＩＣモジュール１２−１〜１２−ｎが断裁部４０を通過した時点でレシート１０が断裁されることになる。
【００３０】
このため、図５に示すように、例えば、領域Ａにて情報の印字が終了したレシート片においては、搬送状態にて次に情報書込部３０と対向するＩＣチップ１２−２に情報が書き込まれるとともに、ＩＣチップ１２−２が断裁部４０を通過した領域Ａ’にて断裁される。また、領域Ｂにて情報の印字が終了したレシート片においては、搬送状態にて次に情報書込部３０と対向するＩＣチップ１２−３に情報が書き込まれるとともに、ＩＣチップ１２−３が断裁部４０を通過した領域Ｂ’にて断裁される。
【００３１】
上記のように発行されたレシート１０においては、商品の購入やサービスの提供に伴う金銭の授受についての情報が印字されるとともに、ＩＣモジュール１２−１〜１２−ｎに書き込まれているため、レシート１０を受け取った消費者は、ＩＣチップ１２−１〜１２−ｎに書き込まれた情報を読み取る情報読取装置を情報処理装置に接続しておけば、ＩＣチップ１２−１〜１２−ｎに書き込まれた情報を情報処理装置にて読み取らせるだけで、商品の購入やサービスの享受を情報処理装置に簡易的に入力することができる。なお、ＩＣチップ１２−１〜１２−ｎの通信可能距離や性能によっては、レシート１０を財布等から取り出すことなく、レシート１０が入れられた財布等を情報読取装置に近接させるだけで、レシート１０に記録された情報を所望の情報処理装置に入力することができる。
【００３２】
図６は、図１に示したレシート１０を発行するレジスターの他の構成例を示す図である。
【００３３】
本形態におけるレジスターは図６に示すように、レシート１０の印字用紙１１に情報を印字する印字部１２０と、レシート１０の搬送方向に対して、レシート１０上に搭載されたＩＣチップ１２−１〜１２−ｎの間隔と同じ長さを有し、印字用紙１１上に搭載されたＩＣチップ１２−１〜１２−ｎに情報を書き込む情報書込部１３０と、レシート１０を断裁する断裁部１４０と、レシート１０を搬送するための搬送手段であるローラ１５０と、キーボードやバーコードリーダ等から構成され、情報を入力するための入力部１６０と、情報が表示される表示部１７０と、入力部１６０に入力された情報に基づいて、印字部１２０における印字用紙１１に対する情報の印字及び情報書込部１３０におけるＩＣチップ１２−１〜１２−ｎに対する情報の書き込み、並びに、断裁部１４０におけるレシート１０の断裁及びローラ１５０の駆動を制御する制御部１８０とから構成されている。
【００３４】
図７は、図６に示したレジスターを用いたレシート１０の発行処理を説明するためのフローチャートである。
【００３５】
商品の購入やサービスの提供に伴う金銭の授受が行われた場合に、その金銭の授受についての情報が入力部１６０を介して入力されると、制御部１８０における制御によりローラ１５０が駆動してレシート１０が搬送され、また、印字部１２０において入力部１６０を介して入力された情報に基づいて所定の情報がレシート１０の印字用紙１１に印字される（ステップＳ１１）。ここで、入力部１６０においては、上述したようにキーボードやバーコードリーダから構成されていることが考えられるが、入力部１６０がキーボードから構成されている場合は、商品やサービスを特定するための情報及びその代金が入力部１６０を介して入力され、また、入力部１６０がバーコードリーダから構成されている場合は、商品等に印字されたバーコード情報が入力部１６０を介して読み取られる。印字部１２０においては、制御部１８０における制御によって、入力部１６０を介して入力された商品の品名や数量、金額、あるいはサービスの種類や代金等がレシート１０の印字用紙１１に印字されることになる。さらに、制御部１８０においては、入力部１６０を介して入力された情報をそのまま印字部１２０にてレシート１０の印字用紙１１に印字するだけではなく、入力部１６０を介して入力された情報に基づいて、商品等の合計金額や消費税等を算出し、その額を印字部１２０にてレシート１０の印字用紙１１に印字する。また、印字部１２０においては、入力部１６０を介して入力された情報以外に予め制御部１８０に登録された情報がレシート１０の印字用紙１１に印字されることも考えられる。例えば、そのレジスターが設置された店舗に関する情報等が制御部１８０に登録されており、その情報がレシート１０の印字用紙１１に印字されることも考えられる。また、金銭の授受が行われた日時についてもレシート１０の印字用紙１１に印字される。
【００３６】
また、情報書込部１３０においては、ローラ１５０の駆動によってレシート１０が搬送されている状態において、レシート１０上の情報書込部１３０と対向する領域にＩＣチップ１２−１〜１２−ｎが存在するかどうかが検出されている。ここで、レシート１０上に搭載されたＩＣチップ１２−１〜１２−ｎに情報を書き込む情報書込部１３０においては、通信可能な範囲内にＩＣチップ１２−１〜１２−ｎが存在するかどうかを検出するために周期的に要求信号が送信されている。この要求信号がＩＣチップ１２−１〜１２−ｎにて受信されると、ＩＣチップ１２−１〜１２−ｎから要求信号に対する応答信号が送信され、この応答信号が情報書込部１３０にて受信された場合、レシート１０上の情報書込部１３０と対向する領域にＩＣチップ１２−１〜１２−ｎが存在することが検出される。
【００３７】
その後、印字部１２０において入力部１６０を介して入力された情報に基づく印字が終了すると（ステップＳ１２）、制御部１８０において、情報書込部１３０と対向する領域にＩＣチップ１２−１〜１２−ｎが存在することが既に検出されているかどうかが判断され（ステップＳ１３）、情報書込部１３０と対向する領域にＩＣチップ１２−１〜１２−ｎが存在することが既に検出されている場合は、そのＩＣチップに対して、レシート１０の印字用紙１１に印字された情報が書き込まれる（ステップＳ１４）。ここで、本例においては、情報書込部１３０が、レシート１０の搬送方向に対して、レシート１０上に搭載されたＩＣチップ１２−１〜１２−ｎの間隔と同じ長さを有しているため、情報書込部１３０と対向する領域においては、レシート１０上に必ず１つのＩＣチップが存在することになる。そのため、ＩＣチップがレシート１０上の情報書込部１３０と対向する領域にて検出された後であって次のＩＣチップが検出される前に印字が終了した場合においても、情報書込部１３０にて検出されたＩＣチップに情報が書き込まれることになる。なお、情報書込部１３０にてＩＣチップ１２−１〜１２−ｎに書き込まれる情報としては、レシート１０の印字用紙１１に印字された情報のみではなく、例えば、商品の購入によるポイントや懸賞等に用いられる番号や店舗のホームページのＵＲＬ等が書き込まれていることも考えられる。また、ＩＣチップ１２−１〜１２−ｎの製造管理番号や、ＩＣチップ１２−１〜１２−ｎの少なくとも１つに、ロール状に巻かれた状態におけるレシート１０の残りのＩＣチップの数を書き込んでおいてもよい。
【００３８】
ステップＳ１４にてＩＣチップ１２−１〜１２−ｎに所定の情報が書き込まれると、印字が終了した領域、あるいは情報が書き込まれたＩＣチップ１２−１〜１２−ｎが断裁部１４０を超える領域となるまでローラ１５０の駆動によりレシート１０が搬送され、その後、断裁部１４０によってレシート１０が単片形状に断裁される（ステップＳ１５）。
【００３９】
図８は、図６に示したレジスターにて発行されるレシートの形状を説明するための図である。
【００４０】
図６に示したレジスターにおいては、情報書込部１３０において、ローラ１５０の駆動によってレシート１０が搬送されている状態にて、レシート１０上の情報書込部１３０と対向する領域にＩＣチップ１２−１〜１２−ｎが存在するかどうかが検出されており、印字部１２０におけるレシート１０に対する印字が終了した際に、情報書込部１３０と対向する領域にＩＣチップ１２−１〜１２−ｎが存在することが既に検出されている場合、そのＩＣチップに情報が書き込まれるとともにレシート１０が断裁され、また、情報書込部１３０と対向する領域にＩＣチップ１２−１〜１２−ｎが存在することがまだ検出されていない場合は、情報書込部１３０と対向する領域にＩＣチップ１２−１〜１２−ｎが存在することが検出された後にそのＩＣチップに情報が書き込まれるとともにレシート１０が断裁される。
【００４１】
このため、図８に示すように、例えば、領域Ａにて情報の印字が終了したレシート片においては、ＩＣチップ１２−１が既に検出されているため、ＩＣチップ１２−１に情報が書き込まれるとともに、印字が終了した領域Ａにて断裁される。また、領域Ｄにて情報の印字が終了したレシート片においては、領域ＤにおいてはＩＣチップがまだ検出されていないため、断裁されずに搬送されていき、ＩＣチップ１２−６が検出された際にＩＣチップ１２−６に情報が書き込まれるとともに、ＩＣチップ１２−６が断裁部１４０を通過した領域Ｄ’にて断裁される。
【００４２】
上記のように発行されたレシート１０においては、商品の購入やサービスの提供に伴う金銭の授受についての情報が印字されるとともに、ＩＣモジュール１２−１〜１２−ｎに書き込まれているため、レシート１０を受け取った消費者は、ＩＣチップ１２−１〜１２−ｎに書き込まれた情報を読み取る情報読取装置を情報処理装置に接続しておけば、ＩＣチップ１２−１〜１２−ｎに書き込まれた情報を情報処理装置にて読み取らせるだけで、商品の購入やサービスの享受を情報処理装置に簡易的に入力することができる。なお、ＩＣチップ１２−１〜１２−ｎの通信可能距離や性能によっては、レシート１０を財布等から取り出すことなく、レシート１０が入れられた財布等を情報読取装置に近接させるだけで、レシート１０に記録された情報を所望の情報処理装置に入力することができる。
【００４３】
なお、上述した実施の形態においては、レシート１０がロール状に巻き付けられた状態から引き出されて利用される場合を例に挙げて説明したが、レシート１０の収納形態はロール状に限らず、折り畳まれた状態で収納されていることも考えられる。
【図面の簡単な説明】
【００４４】
【図１】本発明のレシートの実施の一形態を示す図である。
【図２】図１に示したレシートに最低限の情報が印字された状態を示す図である。
【図３】図１に示したレシートを発行するレジスターの一構成例を示す図である。
【図４】図３に示したレジスターを用いたレシートの発行処理を説明するためのフローチャートである。
【図５】図３に示したレジスターにて発行されるレシートの形状を説明するための図である。
【図６】図１に示したレシートを発行するレジスターの他の構成例を示す図である。
【図７】図６に示したレジスターを用いたレシートの発行処理を説明するためのフローチャートである。
【図８】図６に示したレジスターにて発行されるレシートの形状を説明するための図である。
【符号の説明】
【００４５】
１０    レシート
１１    印字用紙
１２−１〜１２−ｎ    ＩＣチップ
１３    最低印字幅
２０，１２０    印字部
３０，１３０    情報書込部
４０，１４０    断裁部
５０，１５０    ローラ
６０，１６０    入力部
７０，１７０    表示部
８０，１８０    制御部
【図１】
2008027468.tif 000003
【図２】
2008027468.tif 000004
【図３】
2008027468.tif 000005
【図４】
2008027468.tif 000006
【図５】
2008027468.tif 000007
【図６】
2008027468.tif 000008
【図７】
2008027468.tif 000009
【図８】
2008027468.tif 000010